(57)【特許請求の範囲】
【請求項１】
液晶表示装置のオーバードライブ駆動用のパラメータを決定する表示制御装置であって、
予め設定された基準パターン画像を、前記液晶表示装置の第１の領域内で一方向に繰り返しスクロール表示させる第１の表示制御手段と、
前記基準パターン画像と同一形状の複数のサンプル画像であって、各サンプル画像における前記スクロールの方向の端部が互いに異なる擬似残像領域を有する前記複数のサンプル画像を、前記液晶表示装置の第２の領域内に固定表示させる第２の表示制御手段と、
前記第２の領域内に固定表示された前記複数のサンプル画像から１つのサンプル画像をユーザから選択受付する選択受付手段と、
前記選択受付されたサンプル画像の前記擬似残像領域の画素値と前記基準パターン画像の前記擬似残像領域に対応する領域の画素値との差分に基づいて、前記オーバードライブ駆動用のパラメータを決定する決定手段と、
を備えることを特徴とする表示制御装置。
【請求項２】
前記サンプル画像の前記擬似残像領域は、前記第１の表示制御手段によりスクロール表示する際の現在の表示フレームと１つ前の表示フレームとの間で画素値が異なる領域であることを特徴とする請求項１に記載の表示制御装置。
【請求項３】
前記決定手段は、複数の基準色に対して独立に前記オーバードライブ駆動用のパラメータを決定することを特徴とする請求項１または２に記載の表示制御装置。
【請求項４】
液晶表示装置のオーバードライブ駆動用のパラメータを決定する表示制御装置であって、
予め設定された基準パターン画像を、前記液晶表示装置の第１の領域内で一方向に繰り返しスクロール表示させる第１の表示制御手段と、
前記基準パターン画像と同一形状のサンプル画像であって、該サンプル画像における前記スクロールの方向の端部が擬似残像領域を有する前記サンプル画像を、前記液晶表示装置の第２の領域内に固定表示させる第２の表示制御手段と、
前記擬似残像領域の画素値の調整を、操作部を介してユーザから受け付ける調整受付手段と、
前記調整された前記擬似残像領域の画素値と前記基準パターン画像の前記擬似残像領域に対応する領域の画素値との差分に基づいて、前記オーバードライブ駆動用のパラメータを決定する決定手段と、
を備えることを特徴とする表示制御装置。
【請求項５】
液晶表示装置をオーバードライブ駆動する際に使用するパラメータの決定方法であって、
第１の表示制御手段が、予め設定された基準パターン画像を、前記液晶表示装置の第１の領域内で一方向に繰り返しスクロール表示させる第１の表示制御工程と、
第２の表示制御手段が、前記基準パターン画像と同一形状の複数のサンプル画像であって、各サンプル画像における前記スクロールの方向の端部が互いに異なる擬似残像領域を有する前記複数のサンプル画像を、前記液晶表示装置の第２の領域内に固定表示させる第２の表示制御工程と、
選択受付手段が、前記第２の領域内に固定表示された前記複数のサンプル画像から１つのサンプル画像をユーザから選択受付する選択受付工程と、
決定手段が、前記選択受付されたサンプル画像の前記擬似残像領域の画素値と前記基準パターン画像の前記擬似残像領域に対応する領域の画素値との差分に基づいて、前記オーバードライブ駆動用のパラメータを決定する決定工程と、
を含むことを特徴とする決定方法。
【発明の詳細な説明】
【技術分野】
【０００１】
本発明は、液晶表示装置のオーバードライブ駆動用のパラメータを決定する技術に関するものである。
【背景技術】
【０００２】
近年、ＴＶの受像機やＰＣの表示装置として液晶表示装置が使用されている。しかしながら、液晶表示装置は、入力される映像信号の変化速度（例えばフレームレート）に対して実際の表示までの液晶応答速度が比較的遅いため、例えば動画を表示した場合に残像が発生し得る。液晶表示装置の応答速度を改善するための駆動方法として、現在表示対象となる表示フレーム（現表示フレーム）の映像信号と１フレーム前の表示フレームの映像信号との組み合わせに応じて、現表示フレームの映像信号を補正して出力する、所謂オーバードライブ駆動方法が提案されている。（例えば、特許文献１）
また、特許文献２には、１フレームを複数のフィールドに分割して駆動し、最初のフィールドに対してオーバードライブ駆動を行うことにより液晶応答速度の改善効果をより大きく得る方法が開示されている。
【０００３】
図１０は、オーバードライブ駆動回路を説明するための図である。図１０において、１０００はオーバードライブ補正処理部、１２０はフレームメモリ、１１０は表示部である。そして、オーバードライブ補正処理部１０００は、補正量決定部１００１、補正テーブル１００２、および、補正量付加部１００３を備える。
【０００４】
オーバードライブ補正処理部１０００には、現フレームの映像信号とフレームメモリ１２０に記憶された１フレーム前の映像信号とが入力される。そして両者の信号レベルの組み合わせに応じて、補正量決定部１００１は補正量を算出する。例えば、現フレームの映像信号レベルが１フレーム前の映像信号レベルよりも高い場合は、通常の駆動電圧よりも高い液晶駆動電圧で液晶パネルを駆動できるように補正量を算出する。逆に、現フレームの映像信号レベルが１フレーム前の映像信号レベルよりも低い場合は、通常よりも低い液晶駆動電圧で液晶パネルを駆動するよう算出する。
【０００５】
補正量決定部１００１は、補正テーブル１００２を参照し、映像信号レベルの組み合わせに対応する補正量を読み出す。なお、代表的な組み合わせのみを補正テーブル１００２に格納し、他の組み合わせについては補間関数を用いて算出しても良い。補正テーブル１００２に格納するデータは、信号レベルの組み合わせ毎に液晶応答速度の測定を行い、その結果に基づいて決定する。
【０００６】
補正量付加部１００３は、補正量決定部１００１により決定された補正量を現フレームの映像信号に対し加減算する。そして、表示出力部１１０は、入力された補正後の映像信号を液晶パネル駆動信号へ変換する。
【０００７】
ところで、液晶応答速度は、温度などの使用環境によって変化することが知られている。つまり使用環境によっては、補正テーブル１００２のデータを決定した時の液晶応答速度と、実際に使用している表示装置の液晶応答速度が異なる場合が生じる。その場合には、算出したオーバードライブ駆動の補正量が適切な値とならず、十分な液晶応答速度の改善を行なうことができない。また、動画像のエッジ部分に不自然な色付きが生じる。
【０００８】
そこで、特許文献３には、ユーザの指示に基づいてオーバードライブ駆動を停止させたり、強調変換度合いを変更する液晶表示装置が開示されている。また、特許文献４には、液晶表示装置の温度やユーザの指示、画像の特徴などに応じて補正量を変更する場合に、使用する補正テーブルを少なくするよう演算回路を設けた液晶表示装置が開示されている。
【特許文献１】特許第３３０５２４０号
【特許文献２】特開２００１−３４３９５６号公報
【特許文献３】特開２００５−７０７９９号公報
【特許文献４】特開２００６−２４３３２５号公報
【発明の開示】
【発明が解決しようとする課題】
【０００９】
しかしながら、ユーザ操作によりオーバードライブ駆動の補正量調整を行なう場合、ユーザは目的とする画像がどのようなものであるかが明確に分からないまま補正量の調整を行なってしまう可能性があった。また、ユーザは本来のオーバードライブ駆動の目的とは異なる目的で補正量を設定してしまう可能性があった。このようにして不適切な補正量が設定された場合、動画像のエッジ部分の色付きやノイズが増長されるといった問題が生じることになる。
【００１０】
本発明は上述の問題点に鑑みなされたものであり、ユーザが液晶表示装置のオーバードライブ駆動における補正量設定をより簡易に行なえるようにする技術を提供することを目的とする。
【課題を解決するための手段】
【００１１】
上述の問題点を解決するため、本発明の表示制御装置は以下の構成を備える。すなわち、液晶表示装置のオーバードライブ駆動用のパラメータを決定する表示制御装置において、予め設定された基準パターン画像を、前記液晶表示装置の第１の領域内で一方向に繰り返しスクロール表示させる第１の表示制御手段と、前記基準パターン画像と同一形状の複数のサンプル画像であって、各サンプル画像における前記スクロールの方向の端部が互いに異なる擬似残像領域を有する前記複数のサンプル画像を、前記液晶表示装置の第２の領域内に固定表示させる第２の表示制御手段と、前記第２の領域内に固定表示された前記複数のサンプル画像から１つのサンプル画像をユーザから選択受付する選択受付手段と、前記選択受付されたサンプル画像の前記擬似残像領域の画素値と前記基準パターン画像の前記擬似残像領域に対応する領域の画素値との差分に基づいて、前記オーバードライブ駆動用のパラメータを決定する決定手段と、を備える。
または、液晶表示装置のオーバードライブ駆動用のパラメータを決定する表示制御装置において、予め設定された基準パターン画像を、前記液晶表示装置の第１の領域内で一方向に繰り返しスクロール表示させる第１の表示制御手段と、前記基準パターン画像と同一形状のサンプル画像であって、該サンプル画像における前記スクロールの方向の端部が擬似残像領域を有する前記サンプル画像を、前記液晶表示装置の第２の領域内に固定表示させる第２の表示制御手段と、前記擬似残像領域の画素値の調整を、操作部を介してユーザから受け付ける調整受付手段と、前記調整された前記擬似残像領域の画素値と前記基準パターン画像の前記擬似残像領域に対応する領域の画素値との差分に基づいて、前記オーバードライブ駆動用のパラメータを決定する決定手段と、を備える。
【発明の効果】
【００１２】
本発明によれば、ユーザが液晶表示装置のオーバードライブ（ＯＤ）駆動における補正量設定をより簡易に行なえるようにする技術を提供することができる。
【発明を実施するための最良の形態】
【００１３】
以下に、図面を参照して、この発明の好適な実施の形態を詳しく説明する。なお、以下の実施の形態はあくまで例示であり、本発明の範囲を限定する趣旨のものではない。
【００１４】
（第１実施形態）
本発明に係る表示制御装置の第１実施形態として、液晶表示装置を例に挙げて以下に説明する。
【００１５】
＜装置構成＞
図１は、第１実施形態に係る液晶表示装置の内部構成図である。
【００１６】
１００は後述する固定パターンの画像データを格納するメモリ部である。１０１は固定パターンの画像データをスクロール表示するためのスクロール処理部である。１０２はスクロール処理部１０１により出力された動画像に対しＯＤ（オーバードライブ）駆動のための信号処理を行なうＯＤ駆動調整部である。なお、ＯＤ駆動調整部１０２は、図１０のオーバードライブ補正処理部１０００に相当する。ただし、後述するサンプル画像生成部１０３からのパラメータ入力に基づき補正量が調整可能なよう構成される点が図１０とは異なる。
【００１７】
１０３は固定パターンの画像データに基づき後述するサンプル画像を生成するためのサンプル画像生成部である。１０４はユーザインタフェースのための画面を生成するＯＳＤ（オンスクリーンディスプレイ）生成部である。１０５はＯＤ駆動調整部１０２、サンプル画像生成部１０３、ＯＳＤ生成部１０４の各々で生成された画像を１つの画面として構成するための合成部である。また、１０６はユーザからの操作を受け付けるための操作部であり、キーボードやマウス、あるいはリモコンなどにより構成される。なお操作部１０６は、請求項の選択受付手段に相当する。表示出力部１１０およびフレームメモリ１２０については図１０のものと同様であるので説明は省略する。
【００１８】
図２は、メモリ部１００に格納される固定パターンの画像データの一例を示す図である。固定パターンの画像データ２００は、後述する”スクロールパターン”および”サンプル画像”の基準となる基準パターン画像である。ここでは説明を簡潔にするために、固定パターンの画像データ２００は矩形の画像データであり、２つの異なる階調値を有する領域（領域Ａおよび領域Ｂ）により構成されるものとして説明する。具体的には、領域Ａは、（Ｒ，Ｇ，Ｂ）＝（１５０，１５０，１５０）の濃い（暗い）グレーであり、領域Ｂは、（Ｒ，Ｇ，Ｂ）＝（２００，２００，２００）の薄い（明るい）グレーであるとする。なお、赤（Ｒ）、緑（Ｇ）、青（Ｂ）各色は２５６（８ビット）階調で表されるものとしている。なお、使用環境の違い等で生じる応答速度の変化量が特に大きい階調の組み合わせを固定パターンに含まれる２種類の階調として選択するとよい。
【００１９】
なお、以下の説明ではメモリ部１００には１種類の画像データ２００のみが格納されているものとして説明を行なうが、互いに異なる複数の固定パターンの画像データを格納するよう構成してもよい。また、グレー以外のパターン画像を格納するよう構成してもよい。また、静止画の代わりに動画像をメモリ部１００に格納するよう構成してもよい。その場合はスクロール処理部１０１を設けなくとも良い。
【００２０】
・スクロールパターン
図３は、スクロール処理部１０１が出力するスクロールパターンを説明する図である。
【００２１】
スクロール処理部１０１は、メモリ部１００から画像データ２００を読みだし、表示出力部１１０に接続された不図示の液晶表示部上を画像データ２００がスクロール表示されるよう処理を行なう。ここで、スクロール表示とは、画像を液晶表示部上を所定の方向に所定の速度で移動表示することを示している。なお、スクロール処理部１０１は、請求項における第１の表示手段に相当する。
【００２２】
スクロール処理部１０１は、例えば、１フレームで１６画素ずつ右方向（一方向）にスクロールする場合、メモリ部１００から画像データ２００をフレーム毎に右方向へ１６画素ずつシフトさせて読み出し、その読み出し結果を出力する。そのように制御することにより、濃いグレーの矩形画像（領域Ａ）が薄いグレー（領域Ｂ）を背景画像としてフレーム毎に右方向へ１６画素ずつスクロール表示されることになる。以下、スクロール処理され得られた動画像を”スクロールパターン”とよぶ。
【００２３】
ＯＤ駆動調整部１０２は、スクロール処理部１０１から出力されたスクロールパターンと、フレームメモリ１２０に一時記憶された１フレーム前のスクロールパターンとの組み合わせに応じて補正量を算出する。そして、算出した補正量と現表示フレームのスクロールパターンの画像信号とを加減算することによってオーバードライブ駆動のための画像信号を生成する。
【００２４】
なお、前述したように、ＯＤ駆動調整部１０２において最適な補正量が与えられていない場合、フレーム間での階調変化に対して十分な応答速度の改善を行なうことができない。さらに、フレーム間での階調変化の大きい動画像のエッジ部分などに不自然な色付きが生じたり、残像が残った画像が表示されたりする。そのため、画像データ２００を右方向へ所定の速度でスクロール処理した際にも同様に、最適な補正量が与えられていない場合は、フレーム間で階調変化が生じる領域、例えば領域Ａの右端領域あるいは左端領域付近に色付きが生じたり、残像が生じたりする。
【００２５】
３００はスクロールパターンであり、領域Ｃは、表示フレーム間（つまり、現表示フレームと１つ前の表示フレームとの間）で階調値が変化する領域である。ここでは、（Ｒ，Ｇ，Ｂ）＝（２００，２００，２００）から（Ｒ，Ｇ，Ｂ）＝（１５０，１５０，１５０）に変化する領域を領域Ｃとして示している。１フレーム前の階調値（Ｒ，Ｇ，Ｂ）＝（２００，２００，２００）と、現フレームの階調値（Ｒ，Ｇ，Ｂ）＝（１５０，１５０，１５０）の組み合わせから算出される補正量に基づいてオーバードライブ駆動が行なわれる。そのため、この組み合わせにおいて補正量が最適でない場合に前述の色付きといった不具合が生じる。つまり、領域Ｃは、ＯＤ駆動調整部１０２において適切な補正量が与えられていない場合に色付きが生じ得る領域を示している。
【００２６】
・サンプル画像
図４は、サンプル画像生成部１０３が生成する６個のサンプル画像を説明する図である。
【００２７】
サンプル画像生成部１０３は、メモリ部１００から画像データ２００を読み出し、画像データ２００の一部の領域を異なる階調値に置換したサンプル画像を生成する。なお、サンプル画像生成部１０３は、請求項における第２の表示手段に相当する。図４では、互いに異なる階調値に置換された（ａ）〜（ｆ）の６個のサンプル画像を生成した例を示している。以下では、サンプル画像の生成手順について述べる。
【００２８】
まず、サンプル画像生成部１０３は、メモリ部１００から固定パターンの画像データ２００を１フレーム期間中に例えば６回読みだす。つまり、サンプル画像は基本的には、基準パターン画像である画像データ２００と同一の画像である。なお、ここでは、画像データ２００の一部の領域（領域Ａ）のみを読みだすこととする。これは、階調値を置換する領域は前述の領域Ｃに相当する領域であり、領域Ｃは領域Ａの内部に含まれるからである。
【００２９】
次に、サンプル画像生成部１０３は、読み出した領域（領域Ａ）の一部（端部）の領域をそれぞれ異なる階調値に置換する。置換を行なう領域（擬似残像領域）は上述の領域Ｃに相当する領域であり、サンプル画像においては領域Ｄと呼ぶ。つまり、領域Ｄの幅は、現フレームと１つ前のフレームとの間で、画素値の変化が生じる領域である。具体的には、液晶表示パネルのリフレッシュレート、および、スクロール速度により決定される。例えば、スクロールパターン３００が右方向へ毎フレーム１６画素ずつスクロールする動画像である場合、領域Ｄは領域Ａの右端１６画素幅程度の矩形領域とすればよい。
【００３０】
具体的に設定する領域Ｄの階調値は、どのようなものであってもよいが、使用温度や使用時間などの使用環境から液晶の応答特性の変化度合いをおおよそ予測し、その変化量によって決定する色付き度合いをよく表わす階調値をいくつか設定すればよい。また、領域Ａ、及び領域Ｂの階調値に近い階調値をいくつか選択し、領域Ｄにそれぞれ設定してもよい。ここでは一例として、領域Ｄを、（Ｒ，Ｇ，Ｂ）＝（１９０，１９０，１９０）から（Ｒ，Ｇ，Ｂ）＝（９０，９０，９０）まで、（Ｒ，Ｇ，Ｂ）＝（２０，２０，２０）毎に変化させた互いに異なる６個のグレー画像に置換する。領域Ｄの階調値を変更する目的は、領域Ｃを有するスクロールパターン３００と類似した画像の候補を、複数の静止パターンとして固定表示することにある。
【００３１】
スクロールパターン３００において、最適な補正量でオーバードライブ駆動が行なわれた場合、領域Ｃの階調値は、（Ｒ，Ｇ，Ｂ）＝（１５０，１５０，１５０）である。しかしながら、最適な補正量でない場合は、例えば階調値が（Ｒ，Ｇ，Ｂ）＝（１２０，１２０，１２０）であったり、また例えば色バランスがくずれて（Ｒ，Ｇ，Ｂ）＝（１２０，１５０，１６０）であったりする。ただし、領域Ｃがどのように表示されるかは、使用環境の違い等によって変化するため、予め正確に決定することは困難である。そのため第１実施形態では、スクロールパターン３００の領域Ｃの表示に最も類似した静止パターン（サンプル画像）を、ユーザに選択させることにより、一意に決定するのである。
【００３２】
・設定用ユーザインタフェース（ＵＩ）
図５は、第１実施形態に係る液晶表示装置の画質調整画面の一例を示す図である。画質調整画面５００は、例えば、ユーザが操作部１０６を操作することにより表示される。例えば、リモコン上の画質設定ボタンを押下することにより画質調整機能が呼び出され、画質調整画面５００が表示される。なお、画質調整画面５００は合成部１０５により出力される画像である。また、ユーザは、操作部１０６を操作することにより、画質調整値の決定指示、使用する固定パターンの画像データの選択指示、スクロール速度、方向の変更指示などを行なう。
【００３３】
図５に示される例では、前述のスクロールパターン３００は設定画面の左上領域（第１の領域内）に配置されている。また、複数のサンプルパターンが示された選択画面４００は設定画面の下部領域（第２の領域内）に配置されている。さらに、ＯＳＤ生成部１０４が生成したボタン類は設定画面の右上領域に配置されている。各部の配置については任意に決定可能であるが、同一画面内に表示することが望ましい。
【００３４】
スクロール処理部１０１は、ユーザによる固定パターンの画像データの選択指示に基づいて、メモリ部１００から読み出す画像データの選択を行なう。ここでは、画像データ２００が選択されたものとして説明する。また、スクロール処理部１０１は、操作部１０６を介したスクロール速度調節のためのスライダの操作に基づいて、メモリ部１００からの画像データ２００の読み出しをおよび出力を変更することにより、スクロール速度を所望のものへと変更する。また、画質調整画面５００には、図４で示した複数のサンプル画像が選択画面４００として配置されている。そして、ユーザからの操作部１０６を介したカーソル５１０の移動により、サンプル画像が選択可能なよう構成されている。
【００３５】
＜装置の動作＞
図７は、第１実施形態に係る液晶表示装置の画質調整の処理フローチャートである。なお、以下のフローは例えば、液晶表示装置の不図示のＣＰＵが画質調整プログラムを実行することにより実現される。
【００３６】
ステップＳ１１では、操作部１０６を介してユーザから画質調整開始の指示が行なわれたか否かを判定する。画質調整開始の指示が行なわれた場合はＳ１２に進む。
【００３７】
ステップＳ１２では、スクロール処理部１０１は、メモリ部１００から画像データ２００を読み込みスクロール画像の生成を開始する。また、ＯＤ駆動調整部１０２は、例えば初期設定値（デフォルト値）の補正量を補正テーブルに基づいて設定し、スクロールパターンに対しＯＤ駆動補正の処理を開始する。
【００３８】
ステップＳ１３では、サンプル画像生成部１０３は、メモリ部１００から画像データ２００を読み込み前述のサンプル画像を生成する。
【００３９】
ステップＳ１４では、画質調整画面５００を表示する。そして、固定パターンの種類選択指示、スクロール速度、方向の変更指示の設定をユーザから受け付ける。このとき、例えば、選択画面４００には、（ａ）〜（ｆ）の６個のサンプル画像の領域Ｄに、それぞれ以下の階調値を設定する。
【００４０】
（ａ）：（Ｒ，Ｇ，Ｂ）＝（１９０，１９０，１９０）
（ｂ）：（Ｒ，Ｇ，Ｂ）＝（１７０，１７０，１７０）
（ｃ）：（Ｒ，Ｇ，Ｂ）＝（１５０，１５０，１５０）
（ｄ）：（Ｒ，Ｇ，Ｂ）＝（１３０，１３０，１３０）
（ｅ）：（Ｒ，Ｇ，Ｂ）＝（１１０，１１０，１１０）
（ｆ）：（Ｒ，Ｇ，Ｂ）＝（９０，９０，９０）
ステップＳ１５では、サンプル画像の選択指示がユーザから行なわれたか否かを判定する。つまり、スクロールパターン３００と最も類似したサンプル画像の選択を操作部１０６を介してユーザから受け付けたか否かを判定する。ユーザから選択指示が行なわれた場合はステップＳ１３へ戻り、前回より細かい階調値の刻みになるよう（ａ）〜（ｆ）の６個のパターンの階調値を変更する。また、ユーザから選択指示が行なわれなかった場合はステップＳ１６へ進む。
【００４１】
例えば、ステップ（ｄ）のサンプル画像の選択を受け付けた場合、（ｄ）の階調値（Ｒ，Ｇ，Ｂ）＝（１３０，１３０，１３０）を中心として、図６に示すように、
（ａ）：（Ｒ，Ｇ，Ｂ）＝（１４０，１４０，１４０）
（ｂ）：（Ｒ，Ｇ，Ｂ）＝（１３５，１３５，１３５）
（ｃ）：（Ｒ，Ｇ，Ｂ）＝（１３０，１３０，１３０）
（ｄ）：（Ｒ，Ｇ，Ｂ）＝（１２５，１２５，１２５）
（ｅ）：（Ｒ，Ｇ，Ｂ）＝（１２０，１２０，１２０）
（ｆ）：（Ｒ，Ｇ，Ｂ）＝（１１５，１１５，１１５）
とするとよい。そして、再度、サンプル画像の選択指示を受け付ける。以下では、図６（ｅ）のサンプル画像の選択を受け付けたとして説明する。つまり、スクロールパターン３００の色付き程度は（Ｒ，Ｇ，Ｂ）＝（１２０，１２０，１２０）であると決定される。
【００４２】
ステップＳ１６では、画質調整決定指示が行なわれたか否かの判断をする。具体的には、画質調整画面５００の”決定”ボタンが押下されたか否かを判定する。画質調整決定指示が行なわれた場合は、サンプル画像生成部１０３はＯＤ駆動調整部１０２に決定した階調値を送信し、ＯＤ駆動調整部１０２は送信された階調値に基づいて、オーバードライブ駆動の調整値を変更（更新）する。
【００４３】
オーバードライブ駆動の調整値を変更（更新）された時点で新たな調整値に基づいたオーバードライブ駆動が行なわれ、スクロールパターン３００に反映される。画質調整決定指示が行なわれない場合はステップＳ１７に進む。
【００４４】
なお、ＯＤ駆動調整部１０２は、例えば以下の数式に基づいてオーバードライブ駆動の補正量を調整する。
【００４５】
α’＝α＋ｋ（Ｉｎ−Ｐ）
ただし、
Ｉｎ：現フレームの階調値
Ｉｎ−１：  １フレーム前の階調値
α：ＩｎとＩｎ−１との組み合わせから算出されるオーバードライブ駆動の補正量（αは正負の符号情報を含む。Ｉｎ−１＞Ｉｎの場合はα≦０であり、Ｉｎ−１≦Ｉｎの場合はα≧０）
Ｐ：サンプル画像生成部１０３からＯＤ駆動調整部１０２へ送る階調値（０≦Ｐ≦２５５）
α’：調整後のオーバードライブ駆動の補正量、
ｋ：０以上の係数
である。なお、上述の式を複数の基準色であるＲ，Ｇ，Ｂそれぞれ個別に適用してもよく、その場合、補正量αもＲ，Ｇ，Ｂ固有の補正量を有する。係数 ｋは固定値としてもよいが、階調値の組み合わせ毎に予めテーブルとして保持していてもよい。
【００４６】
なお、α’の導出の仕方は上述の式に限定されることは無く、サンプル画像生成部１０３からＯＤ駆動調整部１０２に送信される情報（階調値）に基づいて、補正の過多・過小を補償するようなものであれば任意のものでよい。例えば、
α’＝α＋α・ｋ（Ｉｎ−Ｐ）
を使用して補正量を調整しても良い。
【００４７】
ステップＳ１７では、画質調整終了指示が行なわれたか否かの判断をする。具体的には、画質調整画面５００の”終了”ボタンが押下されたか否かを判定する。画質調整終了指示が行なわれた場合はステップＳ１８に進み、終了指示がなされない場合はステップＳ１５に戻る。
【００４８】
ステップＳ１８では、画質調整画面の表示を消し、画質調整機能を終了する。
【００４９】
以上説明したように、第１実施形態に係る液晶表示装置によれば、ユーザは液晶表示装置のオーバードライブ駆動における補正量設定をより簡易に行うことが可能となる。つまり、ユーザは、画質調整画面５００に表示されたスクロールパターン３００と類似したサンプル画像を選択するだけでよい。そして、液晶表示装置はユーザにより選択されたサンプル画像に基づいて、現在の表示状態を一意に決定することが出来る。そのため、より適したオーバードライブ駆動の補正量をより正確に設定することが可能となる。
【００５０】
なお、ＯＤ駆動調整部１０２における調整前後の補正量の差分値に基づいて、他の階調の組み合わせの補正量についても同様に変更してもよい。また、フラッシュメモリなどの書き換え可能な不揮発メモリ上に、ユーザ調整用のテーブルを設けるよう構成してもよい。
【００５１】
（第２実施形態）
本発明に係る表示制御装置の第２実施形態として、液晶表示装置を例に挙げて以下に説明する。第２実施形態では、ユーザから選択指示が行なわれたタイミングで階調値をＯＤ駆動調整部１０２へ送信しオーバードライブ駆動の補正量を調整する例について説明する。なお、装置構成は、第１実施形態と同様であるので説明は省略する。
【００５２】
＜装置の動作＞
図８は、第２実施形態に係る液晶表示装置の画質調整の処理フローチャートである。なお、以下のフローは例えば、液晶表示装置の不図示のＣＰＵが画質調整プログラムを実行することにより実現される。なお、ステップＳ２１からステップＳ２４までの処理は、第１実施形態におけるステップＳ１１からステップＳ１４までの処理と同様である。
【００５３】
ステップＳ２５では、サンプル画像の選択指示がユーザから行なわれたか否かを判定する。つまり、スクロールパターン３００と最も類似したサンプル画像の選択を操作部１０６を介してユーザから受け付けたか否かを判定する。ユーザから選択指示が行なわれた場合は、サンプル画像生成部１０３はＯＤ駆動調整部１０２に選択した階調値を送信し、ＯＤ駆動調整部１０２は送信された階調値に基づいて、オーバードライブ駆動の調整値を変更（更新）する。ユーザから選択指示が行なわれない場合は、画質調整終了指示があるか否かの判断をする（ステップＳ２６）。そして、画質調整終了指示が行なわれた場合は、画質調整処理を終了する（ステップＳ２７）。
【００５４】
以上説明したように、第２実施形態に係る液晶表示装置によれば、第１実施形態と同様、ユーザは液晶表示装置のオーバードライブ駆動における補正量設定をより簡易に行うことが可能となる。さらに、サンプル画像の選択によりオーバードライブ駆動の調整値が逐次更新され、表示されるスクロールパターンに反映される。そのため、ユーザはより正確にスクロールパターン３００と最も類似したサンプル画像の選択を行なうことができる。
【００５５】
（変形例１）
変形例１では、第１実施形態で説明したサンプル画像の代わりに有彩色のサンプル画像を生成する例について説明する。
【００５６】
画質調整画面５００に含まれる選択画面４００に表示するサンプル画像を、例えば、
（ａ）：（Ｒ，Ｇ，Ｂ）＝（１８０，１４０，１４０）
（ｂ）：（Ｒ，Ｇ，Ｂ）＝（１５０，１７０，１５０）
のように、（ａ）赤系統の色付きのパターンおよび（ｂ）緑系統の色付きパターンとしてもよい。その場合、もし（ａ）が選択された場合は、スクロールパターン３００の色付き程度が赤っぽいと判定され、次の更新された選択画面４００に表示するパターンを、（Ｇ，Ｂ）の階調値は変更せず、Ｒの階調値のみを変更したものを６種類用意すればよい。
【００５７】
（変形例２）
変形例２では、画質調整画面５００に調整用のスライダを設け、ユーザが直接、ＯＤ駆動調整部１０２における調整量を変更可能に構成する。なお、装置構成および動作は、第１実施形態とほぼ同様であるので説明は省略する。
【００５８】
図９は、変形例２に係る液晶表示装置の画質調整画面に含まれる調整用スライダ９００を示す図である。
【００５９】
調整用スライダ９００は、赤、緑、青の補正量をそれぞれ個別に直接調整するためのＵＩである。例えば、第１の実施形態、及び第２の実施形態に記載の処理フローで調整した後に、調整用スライダ９００を介して補正量を微調整することによりさらに精度の高い補正量の調整が可能となる。
【００６０】
（変形例３）
変形例３では、画質調整画面５００に調整用のスライダを設け、ユーザが直接、ＯＤ駆動調整部１０２における調整量を変更可能に構成する。なお、装置構成および動作は、第１実施形態とほぼ同様であるので説明は省略する。
【００６１】
調整用スライダ９００は、赤、緑、青の補正量をそれぞれ個別に直接調整するための画質調整画面５００のＵＩである。また、画質調整画面５００の選択画面４００には、サンプル画像が１つ表示される。ただし、調整用スライダ９００を操作することにより、動的に領域Ｄの階調値が変化するよう構成されている。
【００６２】
つまり、ユーザは、スクロールパターン３００の色付きと等しくなるように調整用スライダ９００を操作する。そしてユーザは等しくなったと判断した時点で、画質調整決定指示を行なう。画質調整決定指示を受けた後、ＯＤ駆動調整部１０２は、ユーザの設定した階調値に基づいて、第１実施形態で示した数式の基づいてオーバードライブ駆動の補正量を調整する。
【００６３】
このようなＵＩとして構成することで、例えば、表示画面が小さく、選択画面４００に複数のパターンを表示するのが困難な場合などにも適用することが出来る。
【００６４】
（他の実施形態）
以上、本発明の実施形態について詳述したが、本発明は、複数の機器から構成されるシステムに適用しても良いし、また、一つの機器からなる装置に適用しても良い。
【００６５】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００６６】
その場合、プログラムの機能を有していれば、オブジェクトコード、インタプリタにより実行されるプログラム、ＯＳに供給するスクリプトデータ等、プログラムの形態を問わない。
【００６７】
プログラムを供給するための記録媒体としては、例えば、フロッピー（登録商標）ディスク、ハードディスク、光ディスク（ＣＤ、ＤＶＤ）、光磁気ディスク、磁気テープ、不揮発性のメモリカード、ＲＯＭなどがある。
【００６８】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６９】
【図１】第１実施形態に係る液晶表示装置の内部構成図である。
【図２】メモリ部１００に格納される固定パターンの画像データの一例を示す図である。
【図３】スクロール処理部１０１が出力するスクロールパターンを説明する図である。
【図４】サンプル画像生成部１０３が生成する６個のサンプル画像を説明する図である。
【図５】第１実施形態に係る液晶表示装置の画質調整画面の一例を示す図である。
【図６】サンプル画像選択後に更新された画質調整画面の一例を示す図である。
【図７】第１実施形態に係る液晶表示装置の画質調整の処理フローチャートである。
【図８】第２実施形態に係る液晶表示装置の画質調整の処理フローチャートである。
【図９】変形例２に係る液晶表示装置の画質調整画面に含まれる調整用スライダ９００を示す図である。
【図１０】オーバードライブ駆動回路を説明するための図である。
【符号の説明】
【００７０】
１００  メモリ部
１０１  スクロール処理部
１０２  ＯＤ駆動調整部
１０３  サンプル画像生成部
１０４  ＯＳＤ生成部
１０５  合成部
１０６  操作部
１１０  表示出力部
１２０  フレームメモリ
２００  固定パターンの画像データ
３００  スクロールパターン
４００  選択画面
５００  画質調整画面
５１０  カーソル
９００  調整用スライダ
１０００  オーバードライブ補正処理部
１００１  補正量決定部
１００２  補正テーブル
１００３  補正量付加部
【図１】
0005215733.tif 000002
【図２】
0005215733.tif 000003
【図３】
0005215733.tif 000004
【図４】
0005215733.tif 000005
【図５】
0005215733.tif 000006
【図６】
0005215733.tif 000007
【図７】
0005215733.tif 000008
【図８】
0005215733.tif 000009
【図９】
0005215733.tif 000010
【図１０】
0005215733.tif 000011